(57)【要約】【課題】見掛け視界が広く、アイレリーフも十分長い接眼レンズと、この接眼レンズを備えた光学機器とを提供する。【解決手段】望遠鏡光学系ＴＳ等の光学機器に用いられる接眼レンズ３は、観察眼（アイポイントＥＰ）側から順に、正の屈折力を有する第１レンズ群Ｇ１と、負の屈折力を有する第２レンズ群Ｇ２と、を有し、第１レンズ群Ｇ１と第２レンズ群Ｇ２との間に中間像Ｉが形成される。そして、第１レンズ群Ｇ１は、観察眼側から順に、観察眼側に凹面を向けた正メニスカスレンズである第１レンズ成分Ｇ１１と、負レンズ及び正レンズを接合した接合レンズである第２レンズ成分Ｇ１２と、正レンズ及び負レンズを接合した接合レンズである第３レンズ成分Ｇ１３と、観察眼側に凸面を向けた正メニスカスレンズである第４レンズ成分Ｇ１４と、を有する。【選択図】図１
2010175673.tif 000002
【特許請求の範囲】
【請求項１】
観察眼側から順に、
正の屈折力を有する第１レンズ群と、
負の屈折力を有する第２レンズ群と、を有し、
前記第１レンズ群と前記第２レンズ群との間に中間像が形成され、
前記第１レンズ群は、前記観察眼側から順に、
前記観察眼側に凹面を向けた正メニスカスレンズである第１レンズ成分と、
負レンズ及び正レンズを接合した接合レンズである第２レンズ成分と、
正レンズ及び負レンズを接合した接合レンズである第３レンズ成分と、
前記観察眼側に凸面を向けた正メニスカスレンズである第４レンズ成分と、を有する接眼レンズ。
【請求項２】
前記第１レンズ群の焦点距離をｆ１とし、前記第２レンズ群の焦点距離をｆ２としたとき、次式
−１．５  ≦  ｆ１／ｆ２  ≦  −０．５
の条件を満足する請求項１に記載の接眼レンズ。
【請求項３】
前記第１レンズ群の焦点距離をｆ１とし、全系の焦点距離をｆとしたとき、次式
１．１  ≦  ｆ１／ｆ
の条件を満足する請求項１または２に記載の接眼レンズ。
【請求項４】
前記第１レンズ成分の焦点距離をｆ１１とし、前記第４レンズ成分の焦点距離をｆ１４としたとき、次式
０．５  ≦  ｆ１１／ｆ１４  ≦  ２
の条件を満足する請求項１〜３いずれか一項に記載の接眼レンズ。
【請求項５】
前記第２レンズ成分の焦点距離をｆ１２とし、前記第３レンズ成分の焦点距離をｆ１３としたとき、次式
０．５  ≦  ｆ１２／ｆ１３  ≦  ２
の条件を満足する請求項１〜４いずれか一項に記載の接眼レンズ。
【請求項６】
アイレリーフをＥＲとし、全系の焦点距離をｆとしたとき、次式
１  ≦  ＥＲ／ｆ
の条件を満足する請求項１〜５いずれか一項に記載の接眼レンズ。
【請求項７】
請求項１〜６いずれか一項に記載の接眼レンズを備える光学機器。
【発明の詳細な説明】
【技術分野】
【０００１】
本発明は、接眼レンズ及びこの接眼レンズを備える光学機器に関する。
【背景技術】
【０００２】
従来、望遠鏡や顕微鏡に使用される接眼レンズとしては、例えば、特許文献１に記載された接眼レンズが知られている。
【先行技術文献】
【特許文献】
【０００３】
【特許文献１】特開昭５７−１０８８２２号公報
【発明の概要】
【発明が解決しようとする課題】
【０００４】
しかしながら、特許文献１に記載された接眼レンズは、視野周辺まで像面湾曲や非点収差が小さく高性能ではあるが、見掛け視界が５０°と標準的であり、また、焦点距離の割にはアイレリーフもあまり大きくなく、改良の余地があった。
【０００５】
本発明はこのような課題に鑑みてなされたものであり、見掛け視界が広く、アイレリーフも十分長い接眼レンズと、この接眼レンズを備えた光学機器とを提供することを目的とする。
【課題を解決するための手段】
【０００６】
前記課題を解決するために、本発明に係る接眼レンズは、観察眼側から順に、正の屈折力を有する第１レンズ群と、負の屈折力を有する第２レンズ群と、を有し、第１レンズ群と第２レンズ群との間に中間像が形成される。そして、第１レンズ群は、観察眼側から順に、観察眼側に凹面を向けた正メニスカスレンズである第１レンズ成分と、負レンズ及び正レンズを接合した接合レンズである第２レンズ成分と、正レンズ及び負レンズを接合した接合レンズである第３レンズ成分と、観察眼側に凸面を向けた正メニスカスレンズである第４レンズ成分と、を有する。
【０００７】
このような接眼レンズは、第１レンズ群の焦点距離をｆ１とし、第２レンズ群の焦点距離をｆ２としたとき、次式
−１．５  ≦  ｆ１／ｆ２  ≦  −０．５
の条件を満足することが好ましい。
【０００８】
また、このような接眼レンズは、第１レンズ群の焦点距離をｆ１とし、この接眼レンズの全系の焦点距離をｆとしたとき、次式
１．１  ≦  ｆ１／ｆ
の条件を満足することが好ましい。
【０００９】
また、このような接眼レンズは、第１レンズ成分の焦点距離をｆ１１とし、第４レンズ成分の焦点距離をｆ１４としたとき、次式
０．５  ≦  ｆ１１／ｆ１４  ≦  ２
の条件を満足することが好ましい。
【００１０】
また、このような接眼レンズは、第２レンズ成分の焦点距離をｆ１２とし、第３レンズ成分の焦点距離をｆ１３としたとき、次式
０．５  ≦  ｆ１２／ｆ１３  ≦  ２
の条件を満足することが好ましい。
【００１１】
さらに、このような接眼レンズは、アイレリーフをＥＲとし、この接眼レンズの全系の焦点距離をｆとしたとき、次式
１  ≦  ＥＲ／ｆ
の条件を満足することが好ましい。
【００１２】
また、本発明に係る光学機器は、上述の接眼レンズのいずれかを備える。
【発明の効果】
【００１３】
本発明を以上のように構成すると、見掛け視界が広く、アイレリーフも十分長い接眼レンズと、この接眼レンズを有する光学機器と、を提供することができる。
【図面の簡単な説明】
【００１４】
【図１】接眼レンズを備える光学機器の構成を示す説明図である。
【図２】第１実施例に係る接眼レンズの構成を示すレンズ構成図である。
【図３】上記第１実施例における諸収差図である。
【図４】第２実施例に係る接眼レンズの構成を示すレンズ構成図である。
【図５】上記第２実施例における諸収差図である。
【図６】第３実施例に係る接眼レンズの構成を示すレンズ構成図である。
【図７】上記第３実施例における諸収差図である。
【図８】第４実施例に係る接眼レンズの構成を示すレンズ構成図である。
【図９】上記第４実施例における諸収差図である。
【図１０】第５実施例に係る接眼レンズの構成を示すレンズ構成図である。
【図１１】上記第５実施例における諸収差図である。
【発明を実施するための形態】
【００１５】
以下、本発明の好ましい実施形態について図面を参照して説明する。まず、本実施の形態に係る接眼レンズを有する光学機器として、図１に示す望遠鏡光学系ＴＳの構成について説明する。この望遠鏡光学系ＴＳは、被観察物体側から順に、対物レンズ１と、正立プリズム２と、接眼レンズ３とを有して構成されている。正立プリズム２は、対物レンズ１と接眼レンズ３との間に配置され、対物レンズ１により形成された被観察物体の倒立像を上下左右反転させるものである。この正立プリズム２には、例えば２つの２等辺三角形のプリズムで構成される、いわゆるポロプリズムを用いることができる。この対物レンズ１により形成された被観察物体の像（図１における中間像Ｉ）は、接眼レンズ３を用いて、アイポイントＥＰに位置する観察眼により拡大観察することができる。
【００１６】
ここで、本実施の形態に係る接眼レンズ３は、観察眼（アイポイントＥＰ）側から順に、正の屈折力を有する第１レンズ群Ｇ１と、負の屈折力を有する第２レンズ群Ｇ２と、を有し、対物レンズ１と接眼レンズ３の第２レンズ群Ｇ２とによる被観察物体の実像である中間像Ｉが、この第１レンズ群Ｇ１と第２レンズ群Ｇ２との中間に形成されるように配置されている。このように、この接眼レンズ３を、正の屈折力を有する第１レンズ群Ｇ１及び負の屈折力を有する第２レンズ群Ｇ２から構成することにより、接眼レンズ３におけるペッツバール和を小さくして像面湾曲の発生を抑えることができる。
【００１７】
ここで、負の屈折力を有する第２レンズ群Ｇ２は、中間像Ｉの結像位置を，アイポイントＥＰ側に移動させることにより接眼レンズ３の最もアイポイントＥＰ側のレンズ面からアイポイントＥＰまでの光軸上の距離（この距離を「アイレリーフＥＲ」と呼ぶ）を長くする機能を有している。
【００１８】
一方、正の屈折力を有する第１レンズ群Ｇ１は、中間像Ｉから出た発散光を再度集光して収斂光にする機能を有する。この第１レンズ群Ｇ１は、観察眼（アイポイントＥＰ）側から順に、観察眼側に凹面を向けた正メニスカスレンズである第１レンズ成分Ｇ１１と、負レンズ及び正レンズを接合した接合レンズである第２レンズ成分Ｇ１２と、正レンズ及び負レンズを接合した接合レンズである第３レンズ成分Ｇ１３と、観察眼側に凸面を向けた正メニスカスレンズである第４レンズ成分Ｇ１４と、を有して構成される。正の屈折力を有する第１レンズ成分Ｇ１１及び第４レンズ成分Ｇ１４は、中間像Ｉから出た発散光を収斂光にするものであるため、これらの第１及び第４レンズ成分Ｇ１１，Ｇ１４を通過する光線を徐々に曲げて、これらのレンズ成分Ｇ１１，Ｇ１４での収差の発生を極力抑えるために、第４レンズ成分Ｇ１４の対物レンズ１側の面は対物レンズ１側に凹面を向けて配置される（観察眼側の面は観察眼側に凸面を向けて配置される）ことが好ましく、また、第１レンズ成分Ｇ１１の観察眼側の面は、観察眼側に凹面を向けて配置される（接眼レンズ１側の面は接眼レンズ１側に凸面を向けて配置される）ことが好ましい。また、この第１及び第４レンズ成分Ｇ１１，Ｇ１４で発生する色収差（特に、倍率の色収差）を補正するために、この接眼レンズ３は、２つの接合レンズ成分（第２レンズ成分Ｇ１２及び第３レンズ成分Ｇ１３）が設けられている。なお、さらに色収差を良好に補正するために、図１に示すように、第２レンズ群Ｇ２も、負レンズ及び正レンズを接合した接合レンズで構成することが好ましい。
【００１９】
この第１レンズ群Ｇ１において、接合レンズは、屈折力を大きくすることができないため、第１レンズ成分Ｇ１１及び第２レンズ成分Ｇ１２の配置の順序を逆にすると、正の屈折力を有する第１レンズ成分Ｇ１とアイポイントＥＰとの間に屈折力が弱い第２レンズ成分Ｇ１２が配置されてしまうため、アイレリーフＥＲが短くなってしまう。また、第３レンズ成分Ｇ１３及び第４レンズ成分Ｇ１４の配置の順序を逆にすると、正の屈折力を有する第４レンズ成分Ｇ１４と中間像Ｉとの間に屈折力の弱い第３レンズ成分が配置されてしまうため、第４レンズ成分Ｇ１４の径が大きくなり、この接眼レンズ３全体が大型化してしまうとともに、収差が発生しやすくなってしまう。そのため、図１に示すように、接合レンズである第２及び第３レンズ成分Ｇ１２，Ｇ１３は、正の屈折力を有する第１及び第４レンズ成分Ｇ１１，Ｇ１４の間に配置されることが望ましい。
【００２０】
なお、この望遠鏡光学系ＴＳにおいて、見掛け視界を広くするためには、中間像Ｉの大きさを大きくすることが必要である。そのため、中間像Ｉを大きくすると、接眼レンズ３の径も大きくなるため収差が発生しやすくなるが、上述のように第１レンズ群Ｇ１に２つの接合レンズ（第２及び第３レンズ成分Ｇ１２，Ｇ１３）を設け、また、第２レンズ群Ｇ２を接合レンズで構成することにより、この収差を良好に補正することができる。
【００２１】
それでは、以上のような構成の接眼レンズ３を構成するための条件について説明する。まず、この接眼レンズ３は、第１レンズ群Ｇ１の焦点距離をｆ１とし、第２レンズ群Ｇ２の焦点距離をｆ２としたとき、次に示す条件式（１）を満足することが望ましい。
【００２２】
−１．５  ≦  ｆ１／ｆ２  ≦  −０．５          （１）
【００２３】
条件式（１）は、第１レンズ群Ｇ１と第２レンズ群Ｇ２との焦点距離の比を規定するものである。この条件式（１）の下限値を下回ると、第２レンズ群Ｇ２の負の屈折力が強すぎて、像面湾曲の補正が過剰となるため好ましくない。反対にこの条件式（１）の上限値を上回ると、第２レンズ群Ｇ２の負の屈折力が弱すぎて、像面湾曲の補正が不足となるため好ましくない。
【００２４】
また、この接眼レンズ３は、第１レンズ群Ｇ１の焦点距離をｆ１とし、この接眼レンズ３の全系の焦点距離をｆとしたとき、次に示す条件式（２）を満足することが望ましい。
【００２５】
１．１  ≦  ｆ１／ｆ                            （２）
【００２６】
条件式（２）は、この接眼レンズ３の全径の焦点距離に対する第１レンズ群Ｇ１の焦点距離の比を規定するものである。この条件式（２）の下限値を下回ると、第１レンズ群Ｇ１の屈折力が強すぎて、アイポイントＥＰが接眼レンズ３側に近づくため、十分なアイレリーフＥＲを確保することが困難になる。
【００２７】
またさらに、この接眼レンズ３の第１レンズ群Ｇ１は、第１レンズ成分Ｇ１１の焦点距離をｆ１１とし、第４レンズ成分Ｇ１４の焦点距離をｆ１４としたとき、次に示す条件式（３）を満足することが望ましい。
【００２８】
０．５  ≦  ｆ１１／ｆ１４  ≦  ２              （３）
【００２９】
条件式（３）は、第１レンズ群Ｇ１における第１レンズ成分Ｇ１１と第４レンズ成分Ｇ１４との焦点距離の比を規定するものである。この条件式（３）の下限値を下回ると、第１レンズ成分Ｇ１１の屈折力が強くなり過ぎて、歪曲収差の補正が困難となるため好ましくない。反対に、この条件式（３）の上限値を上回ると、第４レンズ成分Ｇ１４の屈折力が強くなり過ぎて、アイポイントＥＰが接眼レンズ３側に近づくため、十分なアイレリーフＥＲを確保することが困難になる。
【００３０】
またさらに、この接眼レンズ３の第１レンズ群Ｇ１は、第２レンズ成分Ｇ１２の焦点距離をｆ１２とし、第３レンズ成分Ｇ１３の焦点距離をｆ１３としたとき、次に示す条件式（４）を満足することが望ましい。
【００３１】
０．５  ≦  ｆ１２／ｆ１３  ≦  ２              （４）
【００３２】
条件式（４）は、第１レンズ群Ｇ１における第２レンズ成分Ｇ１２と第３レンズ成分Ｇ１３との焦点距離の比を規定するものである。このような構成の接眼レンズ３においては、負レンズ及び正レンズからなる接合レンズである第２レンズ成分Ｇ１２と、正レンズ及び負レンズからなる接合レンズである第３レンズ成分Ｇ１３とに、屈折力と色収差の補正を、ほぼ均等に分担させることが重要であり、この条件式（４）の上限値及び下限値を超えると、これらのレンズ成分Ｇ１２，Ｇ１３のバランスが崩れて、色収差と非点収差との補正を良好に両立させることが困難となる。
【００３３】
またさらに、この接眼レンズ３は、アイレリーフをＥＲとし、この接眼レンズ３の全系の焦点距離をｆとしたとき、次に示す条件式（５）を満足することが望ましい。
【００３４】
１  ≦  ＥＲ／ｆ                                （５）
【００３５】
条件式（５）は、この接眼レンズ３の全系の焦点距離に対するアイレリーフの長さの比を規定するものである。この条件式（５）を満足することにより、接眼レンズ３の全系の焦点距離に対して十分なアイレリーフを確保することができる。
【００３６】
本実施の形態に係る接眼レンズ３を以上のような構成とすると、見掛け視界が６０°を超える広角で、全系の焦点距離に対してアイレリーフも十分長い接眼レンズを提供することができる。なお、以上の説明においては、本実施の形態に係る接眼レンズ３を、望遠鏡光学系ＴＳに用いた場合について説明したが、顕微鏡光学系に用いることも可能である。
【実施例】
【００３７】
それでは、このような接眼レンズ３について、５つの実施例を以下に示す。
【００３８】
［第１実施例］
図２は、第１実施例に係る接眼レンズ３を示している。この第１実施例に係る接眼レンズ３は、観察眼（アイポイントＥＰ）側から順に、正の屈折力を有する第１レンズ群Ｇ１と、負の屈折力を有する第２レンズ群Ｇ２とを有しており、この第１レンズ群Ｇ１と第２レンズ群Ｇ２との間に被観察物体の中間像Ｉが形成されている。第１レンズ群Ｇ１は、観察眼側から順に、観察眼側に凹面を向けた正メニスカスレンズＬ１からなる第１レンズ成分Ｇ１１、観察眼側に平面を向けた平凹レンズＬ２と両凸レンズＬ３とを接合した接合レンズからなる第２レンズ成分Ｇ１２、両凸レンズＬ４と観察眼側に凹面を向けた平凹レンズＬ５とを接合した接合レンズからなる第３レンズ成分Ｇ１３、及び、観察眼側に凸面を向けた正メニスカスレンズＬ６からなる第４レンズ成分Ｇ１４から構成される。また、第２レンズ群Ｇ２は、観察眼側から順に、両凹レンズＬ７と観察眼側に凸面を向けた正メニスカスレンズＬ８とを接合した接合レンズから構成される。
【００３９】
以下の表１に、この図２に示した第１実施例に係る接眼レンズ３の諸元を示す。この表１において、第１欄ｍは観察眼（アイポイントＥＰ）側からの各光学面の番号を、第２欄ｒは各光学面の曲率半径を、第３欄ｄは各光学面から次の光学面までの光軸上の距離（面間隔）を、第４欄ｎｄはｄ線に対する屈折率を、そして、第５欄νｄはアッベ数をそれぞれ示している。なお、曲率半径0.000は平面を示し、また、空気の屈折率1.00000は省略してある。また、アイレリーフＥＲは、アイポイントＥＰから第１面までの光軸上の距離を示し、バックフォーカスＢｆは、最も対物レンズ１側の面（第１４面）から焦点までの光軸上の距離を示し、ｆはこの接眼レンズ３の全系の焦点距離を、ｆ１は第１レンズ群Ｇ１の焦点距離を、ｆ２は第２レンズ群Ｇ２の焦点距離を、ｆ１１は第１レンズ成分Ｇ１１の焦点距離を、ｆ１２は第２レンズ成分Ｇ１２の焦点距離を、ｆ１３は第３レンズ成分Ｇ１３の焦点距離を、そして、ｆ１４は第４レンズ成分Ｇ１４の焦点距離をそれぞれ示している。さらに、この表１には、上記条件式（１）〜（５）に対応する値、すなわち、条件対応値も示している。なお、これらの説明は以降の実施例においても同様である。
【００４０】
ここで、以下の全ての諸元において記載される曲率半径、面間隔、焦点距離その他の長さの単位は、特記の無い場合、一般に「ｍｍ」が使われるが、光学系は比例拡大又は比例縮小しても同等の光学性能が得られるので、単位は「ｍｍ」に限定されることはなく、他の適当な単位を用いることができる。
【００４１】
（表１）
［全体諸元］
ｆ＝17.5
ｆ１＝24.5
ｆ２＝-35.0
ｆ１１＝75.3
ｆ１２＝110.8
ｆ１３＝110.8
ｆ１４＝73.4
［レンズデータ］
ｍ        ｒ          ｄ          ｎｄ      νｄ
EP                  25.400(ER)
1     -61.177       5.000      1.75500      52.3
2     -30.500       0.400
3       0.000       2.500      1.80518      25.3
4      51.000      11.000      1.72916      54.7
5     -70.000       0.400
6      70.000      11.000      1.72916      54.7
7     -51.000       2.500      1.80518      25.3
8       0.000       0.400
9      30.500       7.000      1.75500      52.3
10      61.177      11.982
11       0.000      12.032
12     -31.220       1.500      1.51680      64.1
13      20.500       3.200      1.80518      25.3
14      31.220     -10.721(Bf)
［条件対応値］
（１）ｆ１／ｆ２＝-0.7
（２）ｆ１／ｆ＝1.40
（３）ｆ１１／ｆ１４＝1.03
（４）ｆ１２／ｆ１３＝1.00
（５）ＥＲ／ｆ＝1.45
【００４２】
このように、第１実施例では上記条件式（１）〜（５）はすべて満たされていることが分かる。図３に、この第１実施例に係る接眼レンズ３の、ｄ線、Ｆ線及びＣ線の光線に対する球面収差、非点収差、歪曲収差及び倍率色収差の諸収差図を示す。なお、これらの収差図は、この接眼レンズ３に対してアイポイントＥＰ側から光を入射させたときの値を示している。ここで、球面収差図は光軸からの高さＨに対する収差量を示し、非点収差図、歪曲収差図及び倍率色収差図は半画角ωに対する収差量を示す。また、非点収差図において、実線は各波長に対するサジタル像面を示し、破線は各波長に対するメリジオナル像面を示す。なお、これらの諸収差図の説明は以降の実施例においても同様である。この図３に示す各収差図から明らかなように、本第１実施例に係る接眼レンズ３は、アイレリーフＥＲが全系の焦点距離ｆに対して十分長く、また、６０°以上の広い見掛け視界を有しているにもかかわらず、諸収差が良好に補正され優れた結像性能が確保されていることが分かる。
【００４３】
［第２実施例］
図４は、第２実施例に係る接眼レンズ３を示している。この第２実施例に係る接眼レンズ３は、観察眼（アイポイントＥＰ）側から順に、正の屈折力を有する第１レンズ群Ｇ１と、負の屈折力を有する第２レンズ群Ｇ２とを有しており、この第１レンズ群Ｇ１と第２レンズ群Ｇ２との間に被観察物体の中間像Ｉが形成されている。第１レンズ群Ｇ１は、観察眼側から順に、観察眼側に凹面を向けた正メニスカスレンズＬ１からなる第１レンズ成分Ｇ１１、観察眼側に平面を向けた平凹レンズＬ２と両凸レンズＬ３とを接合した接合レンズからなる第２レンズ成分Ｇ１２、両凸レンズＬ４と観察眼側に凹面を向けた平凹レンズＬ５とを接合した接合レンズからなる第３レンズ成分Ｇ１３、及び、観察眼側に凸面を向けた正メニスカスレンズＬ６からなる第４レンズ成分Ｇ１４から構成される。また、第２レンズ群Ｇ２は、観察眼側から順に、両凹レンズＬ７と観察眼側に凸面を向けた正メニスカスレンズＬ８とを接合した接合レンズから構成される。
【００４４】
以下の表２に、この図４に示した第２実施例に係る接眼レンズ３の諸元を示す。
【００４５】
（表２）
［全体諸元］
ｆ＝17.5
ｆ１＝24.5
ｆ２＝-35.0
ｆ１１＝63.0
ｆ１２＝131.0
ｆ１３＝131.0
ｆ１４＝62.6
［レンズデータ］
ｍ        ｒ          ｄ          ｎｄ      νｄ
EP                  23.000(ER)
1    -237.340       5.000      1.75500      52.3
2     -40.000       0.400
3       0.000       2.500      1.80518      25.3
4      50.530      11.000      1.72916      54.7
5     -80.560       0.400
6      80.560      11.000      1.72916      54.7
7     -50.530       2.500      1.80518      25.3
8       0.000       0.400
9      29.000       7.000      1.75500      52.3
10      67.200      11.058
11       0.000      12.243
12     -28.850       1.500      1.51680      64.1
13      20.500       3.000      1.80518      25.3
14      33.000     -10.829(Bf)
［条件対応値］
（１）ｆ１／ｆ２＝-0.7
（２）ｆ１／ｆ＝1.40
（３）ｆ１１／ｆ１４＝1.01
（４）ｆ１２／ｆ１３＝1.00
（５）ＥＲ／ｆ＝1.31
【００４６】
このように、第２実施例では上記条件式（１）〜（５）はすべて満たされていることが分かる。図５に、この第２実施例に係る接眼レンズ３の、ｄ線、Ｆ線及びＣ線の光線に対する球面収差、非点収差、歪曲収差及び倍率色収差の諸収差図を示す。この図５に示す各収差図から明らかなように、本第２実施例に係る接眼レンズ３は、アイレリーフＥＲが全系の焦点距離ｆに対して十分長く、また、６０°以上の広い見掛け視界を有しているにもかかわらず、諸収差が良好に補正され優れた結像性能が確保されていることが分かる。
【００４７】
［第３実施例］
図６は、第３実施例に係る接眼レンズ３を示している。この第３実施例に係る接眼レンズ３は、観察眼（アイポイントＥＰ）側から順に、正の屈折力を有する第１レンズ群Ｇ１と、負の屈折力を有する第２レンズ群Ｇ２とを有しており、この第１レンズ群Ｇ１と第２レンズ群Ｇ２との間に被観察物体の中間像Ｉが形成されている。第１レンズ群Ｇ１は、観察眼側から順に、観察眼側に凹面を向けた正メニスカスレンズＬ１からなる第１レンズ成分Ｇ１１、観察眼側に平面を向けた平凹レンズＬ２と両凸レンズＬ３とを接合した接合レンズからなる第２レンズ成分Ｇ１２、両凸レンズＬ４と観察眼側に凹面を向けた平凹レンズＬ５とを接合した接合レンズからなる第３レンズ成分Ｇ１３、及び、観察眼側に凸面を向けた正メニスカスレンズＬ６からなる第４レンズ成分Ｇ１４から構成される。また、第２レンズ群Ｇ２は、観察眼側から順に、両凹レンズＬ７と観察眼側に凸面を向けた正メニスカスレンズＬ８とを接合した接合レンズから構成される。
【００４８】
以下の表３に、この図６に示した第３実施例に係る接眼レンズ３の諸元を示す。
【００４９】
（表３）
［全体諸元］
ｆ＝17.5
ｆ１＝24.5
ｆ２＝-35.0
ｆ１１＝79.3
ｆ１２＝103.7
ｆ１３＝103.7
ｆ１４＝71.0
［レンズデータ］
ｍ        ｒ          ｄ          ｎｄ      νｄ
EP                  24.300(ER)
1     -70.000       5.000      1.71300      53.9
2     -32.200       0.400
3       0.000       2.500      1.80518      25.3
4      51.000      12.000      1.71300      53.9
5     -63.030       0.400
6      63.030      12.000      1.71300      53.9
7     -51.000       2.500      1.80518      25.3
8       0.000       0.400
9      32.200       7.500      1.71300      53.9
10      80.000      11.023
11       0.000      12.116
12     -31.190       1.500      1.51680      64.1
13      20.500       3.000      1.80518      25.3
14      31.240     -10.706(Bf)
［条件対応値］
（１）ｆ１／ｆ２＝-0.7
（２）ｆ１／ｆ＝1.40
（３）ｆ１１／ｆ１４＝1.12
（４）ｆ１２／ｆ１３＝1.00
（５）ＥＲ／ｆ＝1.39
【００５０】
このように、第３実施例では上記条件式（１）〜（５）はすべて満たされていることが分かる。図７に、この第３実施例に係る接眼レンズ３の、ｄ線、Ｆ線及びＣ線の光線に対する球面収差、非点収差、歪曲収差及び倍率色収差の諸収差図を示す。この図７に示す各収差図から明らかなように、本第３実施例に係る接眼レンズ３は、アイレリーフＥＲが全系の焦点距離ｆに対して十分長く、また、６０°以上の広い見掛け視界を有しているにもかかわらず、諸収差が良好に補正され優れた結像性能が確保されていることが分かる。
【００５１】
［第４実施例］
図８は、第４実施例に係る接眼レンズ３を示している。この第４実施例に係る接眼レンズ３は、観察眼（アイポイントＥＰ）側から順に、正の屈折力を有する第１レンズ群Ｇ１と、負の屈折力を有する第２レンズ群Ｇ２とを有しており、この第１レンズ群Ｇ１と第２レンズ群Ｇ２との間に被観察物体の中間像Ｉが形成されている。第１レンズ群Ｇ１は、観察眼側から順に、観察眼側に凹面を向けた正メニスカスレンズＬ１からなる第１レンズ成分Ｇ１１、観察眼側に平面を向けた平凹レンズＬ２と両凸レンズＬ３とを接合した接合レンズからなる第２レンズ成分Ｇ１２、両凸レンズＬ４と観察眼側に凹面を向けた平凹レンズＬ５とを接合した接合レンズからなる第３レンズ成分Ｇ１３、及び、観察眼側に凸面を向けた正メニスカスレンズＬ６からなる第４レンズ成分Ｇ１４から構成される。また、第２レンズ群Ｇ２は、観察眼側から順に、観察眼側に凹面を向けた正メニスカスレンズＬ７と両凹レンズＬ８とを接合した接合レンズから構成される。
【００５２】
以下の表４に、この図８に示した第４実施例に係る接眼レンズ３の諸元を示す。
【００５３】
（表４）
［全体諸元］
ｆ＝17.5
ｆ１＝24.5
ｆ２＝-35.0
ｆ１１＝80.0
ｆ１２＝104.0
ｆ１３＝104.0
ｆ１４＝69.9
［レンズデータ］
ｍ        ｒ          ｄ          ｎｄ      νｄ
EP                  24.900(ER)
1     -68.585       4.500      1.71300      53.9
2     -32.000       0.400
3       0.000       2.500      1.80518      25.3
4      50.000      12.000      1.71300      53.9
5     -63.030       0.400
6      63.030      12.000      1.71300      53.9
7     -50.000       2.500      1.80518      25.3
8       0.000       0.400
9      32.000       8.000      1.71300      53.9
10      80.000      10.727
11       0.000      13.811
12     -25.720       3.000      1.80518      25.3
13     -22.000       1.500      1.51680      64.1
14      50.000     -12.428(Bf)
［条件対応値］
（１）ｆ１／ｆ２＝-0.7
（２）ｆ１／ｆ＝1.40
（３）ｆ１１／ｆ１４＝1.14
（４）ｆ１２／ｆ１３＝1.00
（５）ＥＲ／ｆ＝1.42
【００５４】
このように、第４実施例では上記条件式（１）〜（５）はすべて満たされていることが分かる。図９に、この第４実施例に係る接眼レンズ３の、ｄ線、Ｆ線及びＣ線の光線に対する球面収差、非点収差、歪曲収差及び倍率色収差の諸収差図を示す。この図９に示す各収差図から明らかなように、本第４実施例に係る接眼レンズ３は、アイレリーフＥＲが全系の焦点距離ｆに対して十分長く、また、６０°以上の広い見掛け視界を有しているにもかかわらず、諸収差が良好に補正され優れた結像性能が確保されていることが分かる。
【００５５】
［第５実施例］
図１０は、第５実施例に係る接眼レンズ３を示している。この第５実施例に係る接眼レンズ３は、観察眼（アイポイントＥＰ）側から順に、正の屈折力を有する第１レンズ群Ｇ１と、負の屈折力を有する第２レンズ群Ｇ２とを有しており、この第１レンズ群Ｇ１と第２レンズ群Ｇ２との間に被観察物体の中間像Ｉが形成されている。第１レンズ群Ｇ１は、観察眼側から順に、観察眼側に凹面を向けた正メニスカスレンズＬ１からなる第１レンズ成分Ｇ１１、観察眼側に平面を向けた平凹レンズＬ２と両凸レンズＬ３とを接合した接合レンズからなる第２レンズ成分Ｇ１２、両凸レンズＬ４と観察眼側に凹面を向けた平凹レンズＬ５とを接合した接合レンズからなる第３レンズ成分Ｇ１３、及び、観察眼側に凸面を向けた正メニスカスレンズＬ６からなる第４レンズ成分Ｇ１４から構成される。また、第２レンズ群Ｇ２は、観察眼側から順に、観察眼側に凹面を向けた正メニスカスレンズＬ７と両凹レンズＬ８とを接合した接合レンズから構成される。
【００５６】
以下の表５に、この図１０に示した第５実施例に係る接眼レンズ３の諸元を示す。
【００５７】
（表５）
［全体諸元］
ｆ＝17.5
ｆ１＝24.5
ｆ２＝-35.0
ｆ１１＝67.4
ｆ１２＝124.6
ｆ１３＝124.6
ｆ１４＝65.9
［レンズデータ］
ｍ        ｒ          ｄ          ｎｄ      νｄ
EP                  24.100(ER)
1     -73.780       5.500      1.71300      53.9
2     -30.000       0.400
3       0.000       2.500      1.80518      25.3
4      56.000      11.000      1.62041      60.1
5     -56.000       0.400
6      56.000      11.000      1.62041      60.1
7     -56.000       2.500      1.80518      25.3
8       0.000       0.400
9      30.000       8.000      1.71300      53.9
10      73.780      10.719
11       0.000      13.750
12     -26.310       3.000      1.80518      25.3
13     -22.000       1.500      1.51680      64.1
14      47.000     -12.363(Bf)
［条件対応値］
（１）ｆ１／ｆ２＝-0.7
（２）ｆ１／ｆ＝1.40
（３）ｆ１１／ｆ１４＝1.02
（４）ｆ１２／ｆ１３＝1.00
（５）ＥＲ／ｆ＝1.38
【００５８】
このように、第５実施例では上記条件式（１）〜（５）はすべて満たされていることが分かる。図１１に、この第５実施例に係る接眼レンズ３の、ｄ線、Ｆ線及びＣ線の光線に対する球面収差、非点収差、歪曲収差及び倍率色収差の諸収差図を示す。この図１１に示す各収差図から明らかなように、本第５実施例に係る接眼レンズ３は、アイレリーフＥＲが全系の焦点距離ｆに対して十分長く、また、６０°以上の広い見掛け視界を有しているにもかかわらず、諸収差が良好に補正され優れた結像性能が確保されていることが分かる。
【符号の説明】
【００５９】
３  接眼レンズ    Ｇ１  第１レンズ群
Ｇ１１  第１レンズ成分    Ｇ１２  第２レンズ成分
Ｇ１３  第３レンズ成分    Ｇ１４  第４レンズ成分
Ｇ２  第２レンズ群    ＴＳ  望遠鏡光学系（光学機器）
【図１】
2010175673.tif 000003
【図２】
2010175673.tif 000004
【図３】
2010175673.tif 000005
【図４】
2010175673.tif 000006
【図５】
2010175673.tif 000007
【図６】
2010175673.tif 000008
【図７】
2010175673.tif 000009
【図８】
2010175673.tif 000010
【図９】
2010175673.tif 000011
【図１０】
2010175673.tif 000012
【図１１】
2010175673.tif 000013